(57)【要約】【課題】  ユーザが新たな放送エリアに移動したときに、ユーザの特性に応じた最適な放送局を選局することが可能な移動通信端末及び選局方法を提供すること。【解決手段】  移動通信端末は、放送波受信部１０１と、メモリ部１０４と、制御部１０６とを備えている。放送波受信部１０１は、放送アンテナ２００からの放送波を受信すると共に、そのうち一の放送波を特定することで選局を行う。メモリ部１０４は、旧放送エリア及び旧物理チャンネルと、新放送エリア及び新物理チャンネルとが対応付けられた視聴履歴を記憶している。制御部１０６は、メモリ部１０４に記憶されている旧放送エリア、新放送エリア及び旧物理チャンネルが視聴履歴と同じであった場合に、その視聴履歴において対応する新物理チャンネルの放送波を受信するように放送波受信部１０１を制御する。【選択図】  図１
2008109303.tif 000002
【特許請求の範囲】
【請求項１】
放送波を受信する放送波受信手段と、
前記放送波受信手段により受信された放送波のうち一の放送波を特定することで放送局を選局する選局手段と、
自端末が異なる２つの放送エリア間を移動した移動経路を示す移動経路情報と、前記選局手段により選局された前記自端末の移動後における放送局の情報である移動後放送局情報とが対応付けられた視聴履歴を取得する視聴履歴取得手段と、
前記視聴履歴取得手段により取得された前記視聴履歴に基づいて、前記移動後放送局情報に応じた放送局の選局であるエリア移動履歴選局を行うように前記選局手段を制御する制御手段とを備えることを特徴とする移動通信端末。
【請求項２】
前記視聴履歴の前記移動後放送局情報が、前記移動経路情報に加え、前記選局手段により選局された前記自端末の移動前における放送局の情報である移動前放送局情報とも対応付けられていることを特徴とする請求項１に記載された移動通信端末。
【請求項３】
前記選局手段が前記制御手段の制御により前記視聴履歴に基づいて放送局の選局を行ったときに、当該視聴履歴の重み付けを行う重み付け手段を更に備え、
前記制御手段は、前記重み付け手段によって重み付けされた前記視聴履歴に基づいて前記エリア移動履歴選局を行うように前記選局手段を制御することを特徴とする請求項１又は２に記載された移動通信端末。
【請求項４】
入力操作が行える操作手段を更に備え、
前記重み付け手段は、前記選局手段が前記制御手段の制御により前記視聴履歴に基づいて前記エリア移動履歴選局を行い、且つ前記操作手段から前記選局手段により選局された放送局を決定又は取消す入力操作があったときに、当該視聴履歴の重み付けを行うことを特徴とする請求項３に記載された移動通信端末。
【請求項５】
時刻と放送局の情報とが対応付けられた視聴時刻リストを記憶する記憶手段を更に備え、
前記制御手段は、現在時刻に応じた放送局の選局である時刻選局を実行させる優先順位が他の選局を実行させる優先順位よりも高い場合に、前記記憶手段に記憶されている前記視聴時刻リストに基づいて、前記時刻選局を行うように前記選局手段を制御することを特徴とする請求項１〜４のいずれか一項に記載された移動通信端末。
【請求項６】
前記放送波受信手段による放送波の受信レベルを検出する検出手段を更に備え、
前記制御手段は、前記検出手段によって検出された放送波の受信レベルが所定の閾値以上を示す放送局の選局である放送波受信レベル選局を実行させる優先順位が他の選局を実行させる優先順位よりも高い場合に、前記放送波受信レベル選局を行うように前記選局手段を制御することを特徴とする請求項１〜５のいずれか一項に記載された移動通信端末。
【請求項７】
前記操作手段では、前記エリア移動履歴選局、前記時刻選局及び前記放送波受信レベル選局のうちから前記制御手段に行わせる一又は複数の選局を選択可能な選択操作及び該選択操作によって選択された選局のうちいずれの選局を優先させるかを示す優先順位を設定可能な優先順位設定操作が更に行えるようになっており、
前記制御手段は、前記操作手段を用いた前記優先順位設定操作によって設定された優先順位に基づいて選局を行うように前記選局手段を制御することを特徴とする請求項６に記載された移動通信端末。
【請求項８】
放送波を受信する放送波受信ステップと、
自端末が異なる２つの放送エリア間を移動した移動経路を示す移動経路情報と、前記選局手段により選局された前記自端末の移動後における放送局の情報である移動後放送局情報とが対応付けられた視聴履歴を取得する取得ステップと、
前記取得ステップにより取得された前記視聴履歴に基づいて、前記放送波受信ステップにより受信した放送波のうち前記移動後放送局情報に応じた一の放送波を特定することで放送局の選局を行う選局ステップとを備えることを特徴とする選局方法。
【発明の詳細な説明】
【技術分野】
【０００１】
本発明は、放送波を受信して映像を再生するテレビ機能が搭載された移動通信端末及び選局方法に関する。
【背景技術】
【０００２】
携帯電話機に代表される最近の移動通信端末には、テレビ機能が搭載されたものがある。この種の移動通信端末として、ＧＰＳ衛星から移動通信端末の位置情報を受信する測位手段と、放送局情報を記憶する記憶手段とを備え、新たな放送エリアに移動したときに、測位手段から受信した位置情報に対応する放送局情報を記憶手段から読み出して選局を行うものが知られている（例えば、特許文献１参照）。この特許文献１に記載された移動通信端末では、別の放送エリアにユーザが移動したときに、移動前の放送エリアにおいて受信していた放送局と同じ系列の放送局を自動的に選局している。
【特許文献１】特開２００４−２３５７９号公報
【発明の開示】
【発明が解決しようとする課題】
【０００３】
しかしながら、移動しながらテレビを視聴するユーザの中には、同系列の放送局の視聴を望むユーザの他に、放送エリア毎に好みの放送局があり、移動先の新たな放送エリアでは別の放送局の視聴を望むユーザ等がいることも考慮すると、従来の移動通信端末では、新たな放送エリアへの移動に伴う選局の際に、このようなユーザ毎の好みや特性が考慮されないという問題があった。
【０００４】
そこで、上述の課題を解決するために、本発明では、ユーザが新たな放送エリアに移動したときに、ユーザの特性に応じた最適な放送局を選局することが可能な移動通信端末及び選局方法を提供すること目的とする。
【課題を解決するための手段】
【０００５】
本発明に係る移動通信端末は、放送波を受信する放送波受信手段と、放送波受信手段により受信された放送波のうち一の放送波を特定することで放送局を選局する選局手段と、自端末が異なる２つの放送エリア間を移動した移動経路を示す移動経路情報と、選局手段により選局された自端末の移動後における放送局の情報である移動後放送局情報とが対応付けられた視聴履歴を取得する視聴履歴取得手段と、視聴履歴取得手段により取得された視聴履歴に基づいて、移動後放送局情報に応じた放送局の選局であるエリア移動履歴選局を行うように選局手段を制御する制御手段とを備えることを特徴とする。
【０００６】
本発明に係る移動通信端末では、制御手段が選局手段を制御することにより、自端末が異なる２つの放送エリア間を移動したときの移動後の放送エリアにおける放送局を、視聴履歴取得手段により取得した視聴履歴に基づいて選局している。そして、視聴履歴は、自端末の移動経路を示す移動経路情報と、自端末の移動後における放送局の情報である移動後放送局情報とが対応付けられたものとなっている。そのため、ユーザ毎に異なる視聴履歴が作成されるようになるから、この視聴履歴を用いてエリア移動履歴選局を行うことで、ユーザの特性に応じた最適な放送局を選局することができるようになる。また、ユーザが特定の移動経路を頻繁に移動するような場合でも、視聴履歴を用いて迅速にエリア移動履歴選局が行われ、選局の際にユーザが待たされることがほとんどなくなるので、ユーザのストレスを低減できるようになっている。なお、視聴履歴は、例えば移動通信端末が有するメモリや外部装置（サーバ）等から取得される。
【０００７】
また、視聴履歴の移動後放送局情報が、移動経路情報に加え、選局手段により選局された自端末の移動前における放送局の情報である移動前放送局情報とも対応付けられていることが好ましい。このようにすると視聴履歴のパターンが広がり、よりユーザの特性に応じた放送局の選局が実現できる。
【０００８】
また、選局手段が制御手段の制御により視聴履歴に基づいて放送局の選局を行ったときに、その視聴履歴の重み付けを行う重み付け手段を更に備え、制御手段は、重み付け手段によって重み付けされた視聴履歴に基づいてエリア移動履歴選局を行うように選局手段を制御することが好ましい。このようにすると、移動通信端末の移動経路に応じて視聴履歴が作成されるようになり、重み付けされた視聴履歴、すなわちユーザがより頻繁に利用する視聴履歴が優先的に用いられるから、更にユーザの特性に応じた放送局の選局が実現できる。
【０００９】
また、入力操作が行える操作手段を更に備え、重み付け手段は、選局手段が制御手段の制御により視聴履歴に基づいてエリア移動履歴選局を行い、且つ操作手段から選局手段により選局された放送局を決定又は取消す入力操作があったときに、その視聴履歴の重み付けを行うことが好ましい。このようにすると、移動通信端末の移動経路と共に、ユーザの入力操作に応じて視聴履歴が作成されるようになるから、更によりユーザの特性に応じた放送局の選局が実現できる。
【００１０】
また、時刻と放送局の情報とが対応付けられた視聴時刻リストを記憶する記憶手段を更に備え、制御手段は、現在時刻に応じた放送局の選局である時刻選局を実行させる優先順位がエリア移動履歴選局を実行させる優先順位よりも高い場合に、記憶手段に記憶されている視聴時刻リストに基づいて、前記時刻選局を行うように前記選局手段を制御することが好ましい。このようにすると、エリア移動履歴選局に加えて時刻選局により選局を行うことができるようになるから、選局方法の幅を広げることが可能となる。
【００１１】
また、放送波受信手段による放送波の受信レベルを検出する検出手段を更に備え、制御手段は、検出手段によって検出された放送波の受信レベルが所定の閾値以上を示す放送局の選局である放送波受信レベル選局を実行させる優先順位が前記エリア移動履歴選局を実行させる優先順位よりも高い場合に、前記放送波受信レベル選局を行うように前記選局手段を制御することが好ましい。このようにすると、エリア移動履歴選局に加えて放送波受信レベル選局（及び時刻選局）により選局を行うことができるようになるから、選局方法の幅をより広げることが可能となる。
【００１２】
また、操作手段では、エリア移動履歴選局、時刻選局及び放送波受信レベル選局のうちから制御手段に行わせる一又は複数の選局を選択可能な選択操作及びその選択操作によって選択された選局のうちいずれの選局を優先させるかを示す優先順位を設定可能な優先順位設定操作が更に行えるようになっており、制御手段は、操作手段を用いた優先順位設定操作によって設定された優先順位に基づいて選局を行うように選局手段を制御することが好ましい。このようにすると、操作手段を用いて設定した優先順位に基づいた選局が行われるようになるから、更なるユーザの特性に応じた放送局の選局が実現できる。
【００１３】
一方、本発明に係る選局方法は、放送波を受信する放送波受信ステップと、自端末が異なる２つの放送エリア間を移動した移動経路を示す移動経路情報と、選局手段により選局された自端末の移動後における放送局の情報である移動後放送局情報とが対応付けられた視聴履歴を取得する取得ステップと、取得ステップにより取得された視聴履歴に基づいて、放送波受信ステップにより受信した放送波のうち移動後放送局情報に応じた一の放送波を特定することで放送局の選局を行う選局ステップとを備えることを特徴とする。
【００１４】
本発明に係る選局方法では、選局ステップにおいて、自端末が異なる２つの放送エリア間を移動したときの移動後の放送エリアにおける放送局を、取得ステップで取得した視聴履歴に基づいて選局している。そして、視聴履歴は、自端末の移動経路を示す移動経路情報と、自端末の移動後における放送局の情報である移動後放送局情報とが対応付けられたものとなっている。そのため、ユーザ毎に異なる視聴履歴が作成されるようになるから、この視聴履歴を用いて選局を行うことで、ユーザの特性に応じた最適な放送局を選局することができるようになる。また、ユーザが同じ移動経路を頻繁に利用するような場合でも、視聴履歴を用いて迅速に選局が行われ、選局の際にユーザが待たされることがほとんどなくなるので、ユーザのストレスを低減できるようになっている。
【発明の効果】
【００１５】
本発明によれば、ユーザが新たな放送エリアに移動したときに、ユーザの特性に応じた最適な放送局を選局することができる。
【発明を実施するための最良の形態】
【００１６】
本発明の実施形態に係る移動通信端末について、図面を参照して説明する。なお、説明において、同一要素又は同一機能を有する要素には同一符号を用いることとし、重複する説明は省略する。
【００１７】
（第１実施形態）
まず、図１を参照して、第１実施形態に係る移動通信端末１００に適用される選局システムの全体構成について説明する。図１は、第１及び第２実施形態に係る移動通信端末が移動する様子を示す選局システムを示す概略構成図である。第１実施形態では、図１に示されるように、移動通信端末１００が、放送エリアＡ１内に位置する基地局３００Ａが形成するセルＣ１から、放送エリアＡ２内に位置する基地局３００ＢのセルＣ２へと移動するような場合を想定している。なお、放送エリアＡ１，Ａ２は、それぞれ放送アンテナ２００Ａ，２００Ｂから送出される放送波の提供範囲となっている。
【００１８】
続いて、図２〜図５を参照して、第１実施形態に係る移動通信端末１００の構成について説明する。図２は、第１実施形態に係る移動通信端末のブロック構成と移動通信端末の周辺構成とを示す図である。移動通信端末１００は、例えば地上デジタルテレビジョン放送の放送波を受信して映像を再生することのできるテレビ機能が搭載された携帯電話機である。移動通信端末１００は、図２に示されるように、放送波受信部１０１、映像再生部１０２、移動体通信部１０３、メモリ部１０４、操作部１０５及び制御部１０６を含んで構成されている。そのため、移動通信端末１００を所持しているユーザは、放送アンテナ２００からの放送波を受信することで移動しつつテレビ放送を視聴することが可能となっていると共に、基地局３００との無線通信により音声通話やデータの送受信等をすることが可能となっている。
【００１９】
放送波受信部１０１は、受信手段として、放送アンテナ２００から送出された放送波を、テレビアンテナ（図示せず）を介して受信する。また、放送波受信部１０１は、選局手段として、受信した放送波のうち一の放送波を特定することで放送局の選局を行う。映像再生部１０２は、放送波受信部１０１により受信された放送波に基づいて、移動通信端末１００の表示画面（図示せず）に表示させるテレビ放送等の映像を再生する。移動体通信部１０３は、基地局３００と無線通信を行う部分である。
【００２０】
メモリ部１０４は、旧放送エリアメモリ１０４ａ、新放送エリアメモリ１０４ｂ、旧物理チャンネルメモリ１０４ｃ、新物理チャンネルメモリ１０４ｄ、テーブルメモリ１０４ｅ及び視聴履歴メモリ１０４ｆを有している（図３参照）。図３は、第１実施形態に係る移動通信端末におけるメモリ部が記憶する情報を示す概念図である。
【００２１】
メモリ部１０４の各メモリ１０４ａ〜１０４ｄには、旧放送エリア、新放送エリア、旧物理チャンネル及び新物理チャンネルの各情報がそれぞれ記憶されている。ここで、旧放送エリア及び旧物理チャンネルは、移動通信端末１００が異なる２つの放送エリアＡ１，Ａ２（図１参照）間を移動したときの、移動前の放送エリアＡ１及び移動前の放送エリアＡ１において移動通信端末１００が視聴していた放送局の物理チャンネルをそれぞれ表している。また、新放送エリア及び新物理チャンネルは、移動通信端末１００が異なる２つの放送エリアＡ１，Ａ２間を移動したときの、移動後の放送エリアＡ２及び移動後の放送エリアＡ２において移動通信端末１００が視聴していた放送局の物理チャンネルをそれぞれ表している。
【００２２】
メモリ部１０４のテーブルメモリ１０４ｅには、放送エリアテーブル及び系列テーブルが記憶されている（図４参照）。図４は、メモリ部のテーブルメモリに記憶されている各種テーブルを示す図である。放送エリアテーブルでは、図４（ａ）に示されるように、各基地局３００の位置情報と、各基地局３００が属している放送エリアとが対応付けられている。系列テーブルでは、図４（ｂ）に示されるように、放送エリアと、物理チャンネルと、放送エリア及び物理チャンネルにより特定される放送局と、放送局が属する放送系列の放送系列ナンバとが対応付けられて記憶されている。ここで、放送系列とは、所定の放送局（キー局）を中心として複数の放送局が結ばれた放送網を意味している。具体的には、放送系列ナンバ０１で表される放送網は、ＡＡＡテレビ、ＢＢＢテレビ、ＣＣＣテレビ等の各放送局によって形成されている（図４（ｂ）参照）。
【００２３】
メモリ部１０４の視聴履歴メモリ１０４ｆには、視聴履歴テーブルが記憶されている（図５参照）。図５は、メモリ部の履歴メモリに記憶されている視聴履歴の一例を示す図である。視聴履歴テーブルでは、旧放送エリア、旧物理チャンネル及び旧物理チャンネルに対応する放送局が属する放送系列の放送系列ナンバと、新放送エリア、新物理チャンネル及び新物理チャンネルに対応する放送局が属する放送系列の放送系列ナンバとが視聴履歴として対応付けられている。また、視聴履歴テーブルでは、各視聴履歴にそれぞれポイントが付与されて重み付けを示す情報が付与されており、ポイントによる重み付けが大きな順に視聴履歴が並べられている。重み付けについては後述する。
【００２４】
操作部１０５は、例えばボタン、キー、タッチパネル等であり、ユーザによる入力操作が行われるように構成されている。
【００２５】
制御部１０６は、制御手段として機能して、放送波受信部１０１に放送局の選局を行わせるように放送波受信部１０１を制御する。制御部１０６は、移動体通信部１０３を介して、移動通信端末１００と通信を行っている基地局３００の位置情報を取得し、移動通信端末１００が属する放送エリアを特定する。制御部１０６は、取得手段としてメモリ部１０４との間で放送エリア情報、物理チャンネル情報、視聴履歴等のデータの送受信を行うと共に、各メモリ１０４ａ〜１０４ｆに記憶されている情報の更新を行う。制御部１０６は、操作部１０５からの操作入力を受け付ける。
【００２６】
次に、図６〜図８を参照して、上述した構成の移動通信端末１００の動作について説明する。なお、図６〜図８では、ステップをＳと略記している。
【００２７】
図６は、第１実施形態に係る移動通信端末におけるテレビ視聴処理の動作手順を示すフローチャートである。移動通信端末１００は、図６に示されるテレビ視聴処理を開始すると、放送波受信部１０１によって移動体通信端末１００が属する放送エリアの放送アンテナ２００から放送波の受信を開始すると共に、放送エリア取得処理を行う（Ｓ１）。ここで、放送エリア取得処理が行われると、制御部１０６により、図７に従って処理が実行される。図７は、放送エリア取得処理の動作手順を示すフローチャートである。放送エリア取得処理では、図７に示されるように、制御部１０６がメモリ部１０４に指示して、現在視聴している放送局の物理チャンネルを旧物理チャンネルメモリ１０４ｃに記憶させる（Ｓ１１）。続いて、制御部１０６が移動体通信部１０３に指示して移動通信端末１００と現在通信を行っている基地局３００の位置情報を要求し、移動体通信部１０３がその基地局３００の位置情報を受信するまで待機する（Ｓ１２）。
【００２８】
続いて、放送波受信部１０１によって位置情報の受信が行われると、制御部１０６がメモリ部１０４のテーブルメモリ１０４ｅに記憶されている放送エリアテーブルを参照し、受信された位置情報に対応する放送エリアが特定される（Ｓ１３）。そして、制御部１０６によってメモリ部１０４の旧放送エリアメモリ１０４ａに既に放送エリアの情報が記憶されているか否かが判定される（Ｓ１４）。ステップ１４で放送エリアの情報が記憶されていると判定されたときには、制御部１０６によってステップ１３で特定された放送エリアの情報が新放送エリアメモリ１０４ｂに記憶され（Ｓ１５）、放送エリア取得処理が終了する。一方、ステップ１４で放送エリアの情報が記憶されていないと判定されたときには、制御部１０６によってステップ１３で特定された放送エリアの情報が旧放送エリアメモリ１０４ａに記憶され（Ｓ１６）、再びステップ１１に戻って処理が行われる。
【００２９】
放送エリア取得処理が終了すると、図６に戻り、制御部１０６によって、メモリ部１０４の旧放送エリアメモリ１０４ａ及び新放送エリアメモリ１０４ｂにそれぞれ記憶されている旧放送エリア及び新放送エリアの各情報が読み出され、両者が異なっているか否かが判定される（Ｓ２）。ステップ２で両者が異なっていると判定されると、移動通信端末１００が異なる２つの放送エリア間を移動した（放送エリアＡ１から放送エリアＡ２へと移動した）と判断され（図１参照）、続くステップ３の処理へと進む。一方、ステップ２で両者が同じであると判定されると、移動通信端末１００が所定の放送エリア内から他の放送エリアへ移動していないと判断され、ステップ１に戻って処理を行う。なお、ここでは放送エリア同士を比較しているが、放送波受信部１０１によって受信された２つの位置情報（旧位置情報及び新位置情報）を比較してもよい。
【００３０】
ステップ３に進むと、制御部１０６によって、メモリ部１０４の旧放送エリアメモリ１０４ａ、新放送エリアメモリ１０４ｂ及び旧物理チャンネルメモリ１０４ｃにそれぞれ記憶されている旧放送エリア及び新放送エリアを示す各情報並びに旧物理チャンネルが読み出され、これら３つをキーとしてメモリ部１０４の視聴履歴メモリ１０４ｆに記憶されている視聴履歴テーブルが上から順に（ポイントによる重み付けが大きい順に）参照されて、これら３つと合致する視聴履歴があるか否かが判定される（Ｓ３）。ステップ３で合致する視聴履歴があったと判定されると、制御部１０６によって合致した視聴履歴における新物理チャンネルが特定され、その新物理チャンネルの情報が新物理チャンネルメモリ１０４ｄに記憶される（Ｓ４）。
【００３１】
一方、ステップ３で合致する視聴履歴がなかったと判定されると、視聴履歴に基づいて放送局を選局する代わりに、移動前後の放送エリアにおいて同じ放送系列の放送局による放送をユーザに提供するよう、以下の処理が制御部１０６によって行われる。すなわち、制御部１０６によって、メモリ部１０４の旧放送エリアメモリ１０４ａ及び旧物理チャンネル１０４ｃに記憶されている旧放送エリアの情報及び旧物理チャンネルがそれぞれ読み出され、これら２つをキーとしてテーブルメモリ１０４ｅに記憶されている系列テーブルが参照されて、対応する放送系列ナンバが特定される（Ｓ５）。そして、制御部１０６によって、メモリ部１０４の新放送エリアメモリ１０４ｂから新放送エリアの情報が読み出され、この新放送エリア及びステップ５において特定した放送系列ナンバの２つをキーとして同じく系列テーブルが参照されて、対応する物理チャンネルがメモリ部１０４の新物理チャンネルメモリ１０４ｄに記憶されることで新物理チャンネルとして特定される（Ｓ６）。
【００３２】
そして、ステップ４又はステップ６において新物理チャンネルが特定されると、その新物理チャンネルの放送波を受信するように制御部１０６によって放送波受信部１０１が制御され、放送波受信部１０１において放送局の選局が行われる（Ｓ７）。なお、上述したようにステップ２において位置同士が比較された場合には、ステップ５の処理を行う前に、制御部１０６が移動体通信部１０３に指示することで基地局３００を介して旧位置情報及び新位置情報を図示しないサーバに送信し、これらの各位置情報をキーとしてサーバが記憶している図３に示されるような各種テーブルを参照することで、旧位置情報及び新位置情報に対応する放送エリアとその周囲の放送エリアとに限定した系列テーブルを受信してもよい。
【００３３】
続いて、移動通信端末１００では、視聴履歴更新処理が行われる（Ｓ８）。ここで、視聴履歴更新処理が行われると、制御部１０６により、図８に従って処理が実行される。図８は、視聴履歴作成処理の動作手順を示すフローチャートである。視聴履歴更新処理では、図８に示されるように、ユーザが操作部１０５を操作することで、ステップ７で選局された放送局の視聴を決定する入力操作（決定操作）がなされたか否かが制御部１０６によって判定される（Ｓ２１）。ステップ２１で決定操作が行われたと判定されると、ステップ７での放送局の選局に用いられた視聴履歴（旧放送エリアの情報、旧物理チャンネル及び放送系列ナンバと、新放送エリアの情報、新物理チャンネル及び放送系列ナンバとの対応）にポイントを１加算する重み付け処理が制御部１０６によって行われる（Ｓ２２）。そして、制御部１０６によって、ポイントが大きい順にメモリ部１０４の視聴履歴メモリ１０４ｆに記憶されている視聴履歴テーブルの視聴履歴が更新され（Ｓ２３）、視聴履歴更新処理が終了した後、再び図６のステップ１１に戻って処理を行う。
【００３４】
一方、ステップ２１で決定操作が行われなかった（ステップ７で選局された放送局の視聴を取消す入力操作が行われた）と判定されると、その取消された視聴履歴についてポイントを１減算する重み付け処理が制御部１０６によって行われる（Ｓ２４）。このとき、制御部１０６によって、メモリ部１０４の新放送エリアメモリ１０４ｂから新放送エリアの情報が読み出され、この新放送エリアの情報をキーとしてテーブルメモリ１０４ｅに記憶されている系列テーブルが参照されて、この新放送エリアに対応する放送局のリストがユーザに提示される（Ｓ２５）。具体的には、例えば新放送エリアが東京であった場合、図４（ｂ）に示される放送局ＡＡＡ及び放送局ＤＤＤ等が視聴可能な放送局のリストとして提示される。
【００３５】
続いて、ユーザが操作部１０５を操作することで、ステップ２５で提示された放送局のリストからいずれかの放送局を選択する選択操作がなされたか否かが判定される（Ｓ２６）。ステップ２６で放送局が選択されたと制御部１０６によって判定されると、選択された放送局に対応する物理チャンネルが新物理チャンネルとしてメモリ部１０４の新物理チャンネルメモリ１０４ｄに記憶され、その新物理チャンネルの放送波を受信するように制御部１０６によって放送波受信部１０１が制御され、放送波受信部１０１において放送局の選局が行われる（Ｓ２７）。そして、上述したように、ステップ２７での放送局の選局により確定した視聴履歴についてポイントを１加算する重み付け処理が制御部１０６によって行われた後（Ｓ２２）、視聴履歴テーブルの視聴履歴が更新される（Ｓ２３）。
【００３６】
一方、ステップ２６で放送局が選択されなかった（放送局の選択を取消す入力操作が行われた）と判定されると、制御部１０６によって、メモリ部１０４の旧物理チャンネルメモリ１０４ｃから旧物理チャンネルが読み出され、その旧物理チャンネルの放送波を受信するように制御部１０６によって放送波受信部１０１が制御されて、放送波受信部１０１において放送局の選局が行われる（Ｓ２８）。そして、視聴履歴更新処理が終了すると、図６に戻り、制御部１０６により新放送エリアメモリ１０４ｂに記憶されている新放送エリアの情報が旧放送エリアメモリ１０４ａに複製されることで旧放送エリアメモリ１０４ａが更新された後（Ｓ９）、再びステップ１に戻って、上述した処理を繰り返し行う。このように、第１実施形態に係る移動通信端末１００では、テレビ視聴処理として、現在の放送エリアと異なる放送エリアに移動したときに履歴に基づいて選局を行うエリア移動履歴選局処理を行っている。
【００３７】
以上のように、第１実施形態では、制御部１０６が放送波受信部１０１を制御することにより、移動通信端末１００が異なる２つの放送エリアＡ１，Ａ２間を移動したときの移動後の放送エリアＡ２における放送局を、視聴履歴メモリ１０４ｆから取得した視聴履歴テーブルの視聴履歴に基づいて選局している。そして、視聴履歴は、旧放送エリア、旧物理チャンネル及び放送系列ナンバと、新放送エリア、新物理チャンネル及び放送系列ナンバとが対応付けられたものとなっている。ここで、移動通信端末１００の移動先の放送エリアや移動通信端末１００の移動の前後で選局されている放送局はユーザ毎に異なるため、ユーザ毎に異なる視聴履歴が作成されるようになる。そのため、この視聴履歴に基づいて選局を行うことで、ユーザの特性に応じた最適な放送局を選局することができる。また、視聴履歴に基づいて選局を行っているため、ユーザが特定の放送エリア間を頻繁に移動するような場合でも迅速に選局が行われ、選局の際にユーザが待たされることがほとんどなくなるので、ユーザのストレスを低減できるようになっている。
【００３８】
また、第１実施形態では、ユーザが操作部１０５を用いて決定操作等をすることで、対象となる視聴履歴についてポイントを１加算又は減算する重み付け処理を行っている。そして、この重み付けされた視聴履歴に基づいて選局を行っている。そのため、放送局の選局が行われる際に、ユーザがより頻繁に利用する視聴履歴が優先的に用いられるようになり、さらにユーザの特性に応じた放送局の選局を実現できる。
【００３９】
（第２実施形態）
次に、第２実施形態に係る移動通信端末１１０について説明する。第２実施形態に係る移動通信端末１１０では、以下に述べるように、テレビ視聴処理と平行して、エリア移動履歴選局処理、時刻選局処理及び放送波受信レベル選局処理のうちいずれか１つの選局処理を行っている。以下では、第１実施形態に係る移動通信端末１００との相違点を中心に説明し、重複する説明は省略する。
【００４０】
図４、図５及び図９〜図１１を参照して、第２実施形態に係る移動通信端末１１０の構成について説明する。図９は、第２実施形態に係る移動通信端末のブロック構成と移動通信端末の周辺構成を示す図である。移動通信端末１１０は、第１実施形態に係る移動通信端末１００と同じく、例えば地上デジタルテレビジョン放送の放送波を受信して映像を再生することのできるテレビ機能が搭載された携帯電話機である。移動通信端末１１０は、図９に示されるように、放送波受信部１０１、映像再生部１０２、移動体通信部１０３、メモリ部１０４、操作部１０５、制御部１０６及び計時部１０７を含んで構成されている。そのため、移動通信端末１００を所持しているユーザは、放送アンテナ２００からの放送波を受信することで移動しつつテレビ放送を視聴することが可能となっていると共に、基地局３００との無線通信により音声通話やデータの送受信等をすることが可能となっている。なお、第２実施形態おいても、第１実施形態と同じく、移動通信端末１１０が、放送エリアＡ１内に位置する基地局３００Ａが形成するセルＣ１から、放送エリアＡ２内に位置する基地局３００ＢのセルＣ２へと移動するような場合を想定することができる（図１参照）。
【００４１】
放送波受信部１０１は、受信手段として放送波を受信し、選局手段として放送局の選局を行う。また、放送波受信部１０１は、受信した放送波の電界強度、ＣＮＲ（搬送波電力対雑音電力比：Carrier to Noise Ratio）、ＢＥＲ（ビット誤り率：Bit Error Rate）等の放送波受信レベルを計測し、その情報を制御部１０６に送信する。
【００４２】
メモリ部１０４は、旧放送エリアメモリ１０４ａ、新放送エリアメモリ１０４ｂ、旧物理チャンネルメモリ１０４ｃ、新物理チャンネルメモリ１０４ｄ、テーブルメモリ１０４ｅ、視聴履歴メモリ１０４ｆ、視聴時刻リストメモリ１０４ｇ及び時刻メモリ１０４ｈを有している（図１０参照）。図１０は、第２実施形態に係る移動通信端末におけるメモリ部が記憶する情報を示す概念図である。
【００４３】
メモリ部１０４の各メモリ１０４ａ〜１０４ｄには、旧放送エリア、新放送エリア、旧物理チャンネル及び新物理チャンネルの各情報がそれぞれ記憶されている。メモリ部１０４のテーブルメモリ１０４ｅには、放送エリアテーブル及び系列テーブルが記憶されている（図４参照）。メモリ部１０４の視聴履歴メモリ１０４ｆには、視聴履歴テーブルが記憶されている（図５参照）。
【００４４】
メモリ部１０４の視聴時刻リストメモリ１０４ｇには、視聴時刻リストが記憶されている（図１１参照）。図１１は、メモリ部の視聴時刻リストメモリに記憶されている視聴時刻リストの一例を示す図である。視聴時刻リストでは、例えば図１１に示されるように、曜日に応じて視聴開始時刻と放送系列ナンバとを対応付けて登録している。この視聴時刻リストは、例えば、移動通信端末１１０のユーザが、視聴開始時刻と視聴を希望する放送系列ナンバとを指定することによって生成される。なお、視聴時刻リストでは、視聴開始時刻と放送系列ナンバとの対応付けに加えて、番組名等その他の情報が時刻と対応付けられて登録していてもよい。
【００４５】
メモリ部１０４の時刻メモリ１０４ｈには、時刻が制御部１０６によって計時部１０７から受信された時刻データが記憶されている。
【００４６】
制御部１０６は、取得手段としてメモリ部１０４との間で放送エリア情報、物理チャンネル情報、視聴履歴等のデータの送受信を行い、計時部１０７から時刻を受信すると共に、各メモリ１０４ａ〜１０４ｈに記憶されている情報の更新を行う。制御部１０６は、計時部１０７に対して時刻データの受信要求を送信し、計時部１０７から時刻データを受信する。計時部１０７は、常時、時刻を計時しており、制御部１０６からの時刻データの送信要求があったときにその時の時刻データを制御部１０６に対して送信する。
【００４７】
ここで、上述の移動通信端末１１０では、エリア移動履歴選局処理、時刻選局処理及び放送波受信レベル選局処理の各選局処理を行うことで自動選局を行うが、各選局処理が競合しないように、事前に各選局処理の優先順位を設定する必要がある。そのため、図１２を参照して、各選局処理の優先順位の設定手順について説明する。図１２は、優先順位の設定手順の一例を示す図である。
【００４８】
まず、各選局処理の優先順位を設定するために、ユーザが操作部１０５によって例えば図１２（ａ）に示されるようなＴＶメニューのうちから「４．各種自動選局設定」を選択する操作を行うと、エリア移動履歴選局処理、時刻選局処理及び放送波受信レベル選局処理の各選局処理のうち有効にする選局処理を選択させる画面が移動通信端末１１０に表示される（図１２（ｂ）参照）。そして、ユーザによって選局処理のチェックボックスがチェックされる（選択操作がされる）とその選局処理が有効になり、テレビ視聴処理と平行してそれらの選局処理が機能するようになる。なお、図１２（ｂ），（ｃ）において、「エリア移動履歴による自動選局」がエリア移動履歴選局処理を表わし、「時刻による自動選局」が時刻選局処理を表わし、「放送波受信レベルによる自動選局」が放送波受信レベル選局処理を表わしている。
【００４９】
続いて、チェックボックスにチェックがされている状態で「次へ」のボタンが押されると、選択された選局処理について優先順位を設定させる画面が表示される（図１２（ｃ）参照）。チェックボックスにチェックがされた選局処理についてユーザにより優先順位（図１２（ｃ）においては、「１」又は「２」）が指定されて、「設定」のボタンが押されると、各選局処理について優先順位の設定が行われることとなる。
【００５０】
次に、図７、図８及び図１３〜図１６を参照して、上述した構成の移動通信端末１１０の動作について説明する。第２実施形態に係る移動通信端末１１０では、いわゆるマルチタスク環境が構築されており、テレビ視聴処理と平行して、エリア移動履歴選局処理、時刻選局処理及び放送波受信レベル選局処理の３つの選局処理のうちいずれか１つの選局処理が優先順位に基づいて実行されている。なお、図１３〜図１６では、ステップをＳと略記している。
【００５１】
図１３は、第２実施形態に係る移動通信端末におけるテレビ視聴処理の動作手順を示すフローチャートである。移動通信端末１１０は、図１３に示されるテレビ視聴処理を開始すると、放送波受信部１０１によって移動体通信端末１００が属する放送エリアの放送アンテナ２００から放送波の受信を開始すると共に、放送エリア取得処理を行う（Ｓ１０１）。ここで、放送エリア取得処理が行われると、上述の第１実施形態と同様、図７の各ステップの処理が制御部１０６によって行われ、旧放送エリア及び新放送エリアの各情報が旧放送エリアメモリ１０４ａ又は新放送エリアメモリ１０４ｂに記憶される。
【００５２】
放送エリア取得処理が終了すると、図１３に戻り、制御部１０６によって、メモリ部１０４の旧放送エリアメモリ１０４ａ及び新放送エリアメモリ１０４ｂにそれぞれ記憶されている旧放送エリア及び新放送エリアの各情報が読み出され、両者が同じか否かが判定される（Ｓ１０２）。ステップ１０２で両者が同じであると判定されると、続くステップ１０３の処理へと進む。一方、ステップ１０２で両者が異なっていると判定されると、移動通信端末１１０が異なる２つの放送エリア間を移動した（放送エリアＡ１から放送エリアＡ２へと移動した）と判断され（図１参照）、ステップ１０４の処理へと進む。
【００５３】
ステップ１０４に進むと、制御部１０６により、エリア移動選局処理の優先順位とテレビ視聴処理と平行して実行されている選局処理の優先順位とが比較され、エリア移動選局処理の優先順位が実行中の選局処理の優先順位以上であるか否かが判定される（Ｓ１０４）。ステップ１０４でエリア移動選局処理の優先順位が実行中の選局処理の優先順位以上であると制御部１０６によって判定されると、ステップ１０５に進んで、制御部１０６がエリア移動選局処理を開始させるコマンドを生成する（Ｓ１０５）。こうしてエリア移動選局処理開始のコマンドが生成されると、ステップ１０１に戻ってテレビ視聴処理が続行されると共に、テレビ視聴処理と平行してエリア移動選局処理が開始される。
【００５４】
一方、ステップ１０４でエリア移動選局処理の優先順位が実行中の選局処理の優先順位よりも低いと制御部１０６によって判定されると、ステップ１０３に進んで、制御部１０６が、計時部１０７に現在時刻の時刻データの送信要求を送信し、取得した時刻データをメモリ部１０４の時刻メモリ１０４ｈに記憶させる（Ｓ１０３）。そして、制御部１０６により、メモリ部１０４の視聴時刻リストメモリ１０４ｇに記憶されている視聴時刻リストが参照され、ステップ１０３においてメモリ部１０４の時刻メモリ１０４ｈに記憶された時刻と一致する時刻が視聴時刻リストに登録されているか否かが判定される（Ｓ１０６）。ステップ１０６で時刻メモリ１０４ｈに記憶された時刻と一致する時刻が視聴時刻リストに登録されていないと判定されると、ステップ１０７の処理へと進む。一方、ステップ１０６で時刻メモリ１０４ｈに記憶された時刻と一致する時刻が視聴時刻リストに登録されていると判定されると、ステップ１０８の処理へと進む。
【００５５】
ステップ１０８に進むと、制御部１０６により、時刻選局処理の優先順位とテレビ視聴処理と平行して実行されている選局処理の優先順位とが比較され、時刻選局処理の優先順位が実行中の選局処理の優先順位以上であるか否かが判定される（Ｓ１０８）。ステップ１０８で時刻選局処理の優先順位が実行中の選局処理の優先順位以上であると制御部１０６によって判定されると、ステップ１０９に進んで、制御部１０６が時刻選局処理を開始させるコマンドを生成する（Ｓ１０９）。こうして時刻選局処理開始のコマンドが生成されると、ステップ１０１に戻ってテレビ視聴処理が続行されると共に、テレビ視聴処理と平行して時刻選局処理が開始される。
【００５６】
一方、ステップ１０８で時刻選局処理の優先順位が実行中の選局処理の優先順位よりも低いと制御部１０６によって判定されると、ステップ１０７に進んで、制御部１０６において、放送波受信部１０１によって計測された現在視聴中の放送局の放送波受信レベルの情報を取得する。そして、制御部１０６により、ステップ１０７において取得した放送波受信レベルが閾値より上か否かが判定される（Ｓ１１０）。ステップ１１０で放送波受信レベルが閾値より上であると判定されると、ステップ１０１に戻ってテレビ視聴処理が続行される。一方、ステップ１１０で放送波受信レベルが閾値以下であると判定されると、ステップ１１１の処理へと進む。
【００５７】
ステップ１１０に進むと、制御部１０６により、放送波受信レベル選局処理の優先順位とテレビ視聴処理と平行して実行されている選局処理の優先順位とが比較され、放送波受信レベル選局処理の優先順位が実行中の選局処理の優先順位以上であるか否かが判定される（Ｓ１１１）。ステップ１１１で放送波受信レベル選局処理の優先順位が実行中の選局処理の優先順位以上であると制御部１０６によって判定されると、ステップ１１２に進んで、制御部１０６が放送波受信レベル選局処理を開始させるコマンドを生成する（Ｓ１１２）。こうして放送波受信レベル選局処理開始のコマンドが生成されると、ステップ１０１に戻ってテレビ視聴処理が続行されると共に、テレビ視聴処理と平行して放送波受信レベル選局処理が開始される。
【００５８】
一方、ステップ１１１で放送波受信レベル選局処理の優先順位が実行中の選局処理の優先順位よりも低いと制御部１０６によって判定されると、ステップ１０１に戻ってテレビ視聴処理が続行される。テレビ視聴処理では、以上の処理を繰り返して行う。
【００５９】
続いて、エリア移動履歴選局処理の動作手順について、図１４を参照して説明する。図１４は、エリア移動履歴選局処理の動作手順を示すフローチャートである。
【００６０】
移動通信端末１１０では、図１３に示されるテレビ視聴処理においてエリア移動履歴選局処理開始のコマンドが生成されると（Ｓ１０５）、エリア移動履歴選局処理を開始する。エリア移動履歴選局処理が開始されると、図１４に示されるステップ１２１に進んで、制御部１０６によって、メモリ部１０４の旧放送エリアメモリ１０４ａ、新放送エリアメモリ１０４ｂ及び旧物理チャンネルメモリ１０４ｃにそれぞれ記憶されている旧放送エリア及び新放送エリアを示す各情報並びに旧物理チャンネルが読み出され、これら３つをキーとしてメモリ部１０４の視聴履歴メモリ１０４ｆに記憶されている視聴履歴テーブルが上から順に（ポイントによる重み付けが大きい順に）参照されて、これら３つと合致する視聴履歴があるか否かが判定される（Ｓ１２１）。ステップ１２１で合致する視聴履歴があったと判定されると、制御部１０６によって合致した視聴履歴における新物理チャンネルが特定され、その新物理チャンネルが新物理チャンネルメモリ１０４ｄに記憶される（Ｓ１２２）。
【００６１】
一方、ステップ１２１で合致する視聴履歴がなかったと判定されると、視聴履歴に基づいて放送局を選局する代わりに、移動前後の放送エリアにおいて同じ放送系列の放送局による放送をユーザに提供するよう、以下の処理が制御部１０６によって行われる。すなわち、制御部１０６によって、メモリ部１０４の旧放送エリアメモリ１０４ａ及び旧物理チャンネル１０４ｃに記憶されている旧放送エリアの情報及び旧物理チャンネルがそれぞれ読み出され、これら２つをキーとしてテーブルメモリ１０４ｅに記憶されている系列テーブルが参照されて、対応する放送系列ナンバが特定される（Ｓ１２３）。そして、制御部１０６によって、メモリ部１０４の新放送エリアメモリ１０４ｂから新放送エリアの情報が読み出され、この新放送エリア及びステップ５において特定した放送系列ナンバの２つをキーとして同じく系列テーブルが参照されて、対応する物理チャンネルがメモリ部１０４の新物理チャンネルメモリ１０４ｄに記憶されることで新物理チャンネルとして特定される（Ｓ１２４）。
【００６２】
そして、ステップ１２２又はステップ１２４において新物理チャンネルが特定されると、その新物理チャンネルの放送波を受信するように制御部１０６によって放送波受信部１０１が制御され、放送波受信部１０１において放送局の選局が行われる（Ｓ１２５）。続いて、移動通信端末１００では、視聴履歴更新処理が行われる（Ｓ１２６）。ここで、視聴履歴更新処理が行われると、上述の第１実施形態と同様、図８の各ステップの処理が制御部１０６によって行われる。視聴履歴更新処理が終了すると、図１４に戻り、制御部１０６により新放送エリアメモリ１０４ｂに記憶されている新放送エリアの情報が旧放送エリアメモリ１０４ａに複製されることで旧放送エリアメモリ１０４ａが更新された後（Ｓ１２７）、エリア移動履歴選局処理が終了する。
【００６３】
続いて、時刻選局処理の動作手順について、図１５を参照して説明する。図１５は、時刻選局処理の動作手順を示すフローチャートである。
【００６４】
移動通信端末１１０では、図１３に示されるテレビ視聴処理において時刻選局処理開始のコマンドが生成されると（Ｓ１０９）、時刻選局処理を開始する。時刻選局処理が開始されると、図１５に示されるステップ１３１に進んで、制御部１０６によって、メモリ部１０４の視聴時刻リストメモリ１０４ｇ及び時刻メモリ１０４ｈにそれぞれ記憶されている視聴時刻リスト及び時刻データが読み出され、視聴時刻リストにおいて読み出された時刻データに対応する放送系列ナンバが取得される（Ｓ１３１）。
【００６５】
そうすると、制御部１０６によって、メモリ部１０４の新放送エリアメモリ１０４ｂに記憶されている新放送エリアを示す情報が読み出され、この新放送エリアを示す情報及びステップ１３１において取得された放送系列ナンバをキーとしてメモリ部１０４のテーブルメモリ１０４ｅに記憶されている系列テーブルが参照され、合致する物理チャンネルが新物理チャンネルとして特定されて、その新物理チャンネルが新物理チャンネルメモリ１０４ｄに記憶される（Ｓ１３２）。ステップ１３２において新物理チャンネルが特定されると、その新物理チャンネルの放送波を受信するように制御部１０６によって放送波受信部１０１が制御され、放送波受信部１０１において放送局の選局が行われた後（Ｓ１３３）、時刻選局処理が終了する。
【００６６】
続いて、放送波受信レベル選局処理の動作手順について、図１６を参照して説明する。図１６は、放送波受信レベル選局処理の動作手順を示すフローチャートである。
【００６７】
移動通信端末１１０では、図１３に示されるテレビ視聴処理において放送波受信レベル選局処理開始のコマンドが生成されると（Ｓ１１２）、放送波受信レベル選局処理を開始する。放送波受信レベル選局処理が開始されると、図１５に示されるステップ１４１に進んで、制御部１０６が放送波受信部１０１に指示し、受信している放送波の放送波受信レベルを各放送波について測定して、現在視聴している放送局に対応する放送波以外の放送波のうちで放送波受信レベルが所定の閾値を上回るものがあるか否かが制御部１０６により判定される（Ｓ１４１）。ステップ１４１で、放送波受信レベルが所定の閾値を上回る他の放送波があると判定されると、ステップ１４２の処理へと進むが、放送波受信レベルが所定の閾値を上回る他の放送波がないと判定されると、放送波受信レベル選局処理が終了する。
【００６８】
ステップ１４２に進むと、制御部１０６によって、所定の閾値を上回る放送波のうち、現在視聴中の放送局と同じ放送系列を示す放送波があるか否かが判定される（Ｓ１４２）。すなわち、まず、制御部１０６によって、メモリ部１０４の新物理チャンネルメモリ１０４ｄに記憶されている新物理チャンネルが読み出され、メモリ部１０４のテーブルメモリ１０４ｅに記憶されている系列テーブルが参照されることにより、この物理チャンネルに対応する放送系列ナンバが取得される。同じく、制御部１０６によって、放送波受信部１０１において受信された所定の閾値を上回る放送波の物理チャンネルが特定され、メモリ部１０４のテーブルメモリ１０４ｅに記憶されている系列テーブルが参照されることにより、特定された物理チャンネルに対応する放送系列ナンバが取得される。そして、現在視聴中の放送局の放送系列ナンバと所定の閾値を上回る他の放送波に対応する放送系列ナンバとを対比して、同じ放送系列ナンバの放送局があると判定された場合には、制御部１０６により同じ放送系列の放送局が全て抽出される（Ｓ１４３）。一方、ステップ１４２において、同じ放送系列ナンバの放送局がないと判定された場合には、制御部１０６により所定の閾値を上回る全ての放送局が抽出される（Ｓ１４４）。
【００６９】
ステップ１４３又はステップ１４４で放送局が抽出されると、制御部１０６により、抽出された放送局のうち最も高い放送波受信レベルを示す放送波に対応する放送局により新物理チャンネルが特定され、その新物理チャンネルが新物理チャンネルメモリ１０４ｄに記憶される（Ｓ１４５）。ステップ１４５において新物理チャンネルが特定されると、その新物理チャンネルの放送波を受信するように制御部１０６によって放送波受信部１０１が制御され、放送波受信部１０１において放送局の選局が行われた後（Ｓ１４６）、放送波受信レベル選局処理が終了する。
【００７０】
以上のように、第２実施形態では、エリア移動履歴選局処理が行われると、第１実施形態と同様に、ユーザが特定の放送エリア間を頻繁に移動するような場合でも迅速に選局が行われ、選局の際にユーザが待たされることがほとんどなくなるので、ユーザのストレスを低減できるようになっている。
【００７１】
また、第２実施形態では、エリア移動履歴選局処理に加え、時刻選局処理及び放送波受信レベル選局処理を行っている。そのため、選局方法の幅をより広げることが可能となっている。
【００７２】
また、第２実施形態では、操作部１０５により、エリア移動履歴選局処理、時刻選局処理及び放送波受信レベル選局処理のうちいずれの選局処理を行うかの選択操作及び選択された選局処理のうちいずれの選局を優先させるかを示す優先順位を設定可能な優先順位設定操作が行えるようになっている。そのため、ユーザの好みに応じた選局処理が優先してお粉割るようになるから、さらにユーザの特性に応じた放送局の選局を実現できる。
【００７３】
以上、本発明の好適な実施形態について詳細に説明したが、本発明は上記の各実施形態に限定されるものではない。例えば、第１及び第２実施形態では移動通信端末１００，１１０のメモリ部１０４に視聴履歴テーブル等が記憶されていたが、これに限られない、すなわち、視聴履歴テーブル等が記憶されたサーバ等の外部端末及び基地局３００をネットワークで接続した選局システムを構成して、移動通信端末１００，１１０から外部端末に旧放送エリアの情報、新放送エリアの情報及び旧物理チャンネルを送信し、外部端末において新物理チャンネルを特定してもよい。その後、外部端末によって特定された新物理チャンネルをネットワーク及び基地局を介して移動通信端末１００，１１０に送信することで、移動通信端末１００，１１０において選局を行うことができる。
【００７４】
また、第１及び第２実施形態では旧放送エリア及び新放送エリアの各情報並びに旧物理チャンネルに基づいて新物理チャンネルを特定したが、視聴履歴テーブルが旧物理チャンネルを含まずに旧放送エリア及び新放送エリアの各情報と新物理チャンネルとが対応付けられた視聴履歴によって構成され、旧放送エリア及び新放送エリアの各情報に基づいて新物理チャンネルを特定するものでもよい。
【００７５】
また、第１及び第２実施形態ではユーザが操作部１０５を操作することによる入力操作（決定操作）がなされたが否かが制御部１０６により判定され（Ｓ２１）、決定操作が行われたと判定されたときにそのときの視聴履歴にポイントを１加算する重み付け処理を行っていたが、これに限られない。すなわち、放送波受信部１０１において放送局の選局が行われた（Ｓ７）後、所定時間内にユーザによる操作部１０５の入力操作がなかったときに、制御部１０６がステップ７で選局された放送局の視聴を決定したものとみなしてその視聴履歴にポイントを１加算する重み付け処理を行うようにしてもよい。
【００７６】
また、移動通信端末１００，１１０は、地上デジタルテレビジョン放送の放送波だけでなく、地上デジタルテレビジョン放送及び地上デジタル音声放送を含む地上デジタル放送全般であってもよく、衛星デジタル放送による放送波、有線デジタル放送による放送波を受信するものであってもよい。
【００７７】
また、移動通信端末１００，１１０が再生するコンテンツとしては、映像の他に、音声、データ等であってもよい。
【００７８】
また、移動通信端末１００，１１０が映像、音声、データ等の記録が行える記録部を更に有し、移動通信端末１００，１１０によってコンテンツの記録を行う際に本発明を適用してもよい。
【００７９】
また、第２実施形態ではテレビ視聴処理と平行して、エリア移動履歴選局処理、時刻選局処理及び放送波受信レベル選局処理の３つの選局処理のうちいずれか１つの選局処理を優先順位に基づいて実行させたが、ユーザによる操作部１０５を用いた選択操作に応じて、上記３つの選局処理のうちから選択された１つの選局処理のみを行ってもよく、上記３つの選局処理のうちから選択された２つの選局処理を優先順位に基づいて行ってもよい。
【図面の簡単な説明】
【００８０】
【図１】第１及び第２実施形態に係る移動通信端末が移動する様子を示す選局システムを示す概略構成図である。
【図２】第１実施形態に係る移動通信端末のブロック構成と移動通信端末の周辺構成を示す図である。
【図３】第１実施形態に係る移動通信端末におけるメモリ部が記憶する情報を示す概念図である。
【図４】メモリ部のテーブルメモリに記憶されている各種テーブルを示す図である。
【図５】メモリ部の履歴メモリに記憶されている視聴履歴の一例を示す図である。
【図６】第１実施形態に係る移動通信端末におけるテレビ視聴処理の動作手順を示すフローチャートである。
【図７】放送エリア取得処理の動作手順を示すフローチャートである。
【図８】視聴履歴作成処理の動作手順を示すフローチャートである。
【図９】第２実施形態に係る移動通信端末のブロック構成と移動通信端末の周辺構成を示す図である。
【図１０】第２実施形態に係る移動通信端末におけるメモリ部が記憶する情報を示す概念図である。
【図１１】メモリ部の視聴時刻リストメモリに記憶されている視聴時刻リストの一例を示す図である。
【図１２】優先順位の設定手順の一例を示す図である。
【図１３】第２実施形態に係る移動通信端末におけるテレビ視聴処理の動作手順を示すフローチャートである。
【図１４】エリア移動履歴選局処理の動作手順を示すフローチャートである。
【図１５】時刻選局処理の動作手順を示すフローチャートである。
【図１６】放送波受信レベル選局処理の動作手順を示すフローチャートである。
【符号の説明】
【００８１】
１００…移動通信端末、１０１…放送波受信部、１０２…映像再生部、１０３…移動体通信部、１０４…メモリ部、１０４ａ…旧放送エリアメモリ、１０４ｂ…新放送エリアメモリ、１０４ｃ…旧物理チャンネルメモリ、１０４ｄ…新物理チャンネルメモリ、１０４ｅ…テーブルメモリ、１０４ｆ…視聴履歴メモリ、１０５…操作部、１０６…制御部、２００…放送アンテナ、３００…基地局、Ａ１，Ａ２…放送エリア、Ｃ１，Ｃ２…セル。
【図１】
2008109303.tif 000003
【図２】
2008109303.tif 000004
【図３】
2008109303.tif 000005
【図４】
2008109303.tif 000006
【図５】
2008109303.tif 000007
【図６】
2008109303.tif 000008
【図７】
2008109303.tif 000009
【図８】
2008109303.tif 000010
【図９】
2008109303.tif 000011
【図１０】
2008109303.tif 000012
【図１１】
2008109303.tif 000013
【図１２】
2008109303.tif 000014
【図１３】
2008109303.tif 000015
【図１４】
2008109303.tif 000016
【図１５】
2008109303.tif 000017
【図１６】
2008109303.tif 000018